(57)【要約】【課題】既製コンクリート杭頭部における余剰コンクリートを効率的に除去できる余剰コンクリート除去装置を提供する。【解決手段】既製杭頭Ｈ部に挿入される挿入部１０と、挿入部１０から送給される余剰コンクリートを貯留する貯留部２０とを備え、挿入部１０は有底円筒体１１とされ、底面１２に余剰コンクリートを吸い込む吸い込み窓１２ａと、窓１２ａを開閉する蓋１４と、蓋１４を開の位置と閉の位置とに調整する操作レバー１６を有する回動軸１５とを備えてなる既製杭頭Ｈに滞留する余剰コンクリートを硬化前に除去する余剰コンクリート除去装置Ａである。【選択図】図１
2010043414.tif 000002
【特許請求の範囲】
【請求項１】
既製杭の頭部に滞留する余剰コンクリートを除去する余剰コンクリート除去装置であって、
既製杭頭部に挿入される挿入部と、該挿入部から送給される余剰コンクリートを貯留する貯留部とを備え、
前記挿入部は有底円筒体とされ、底面に余剰コンクリートを吸い込む吸い込み窓と、該窓を開閉する蓋と、該蓋を開の位置と閉の位置とに調整する操作レバーを有する回動軸とを備えてなる
ことを特徴とする余剰コンクリート除去装置。
【請求項２】
操作レバーの操作端が貯留部から突出させられてなることを特徴とする請求項１記載の余剰コンクリート除去装置。
【請求項３】
貯留部が、操作レバーが貫通する横長の長孔を有し、
前記操作レバーが、前記長孔を塞ぐ鍔を有してなる
ことを特徴とする請求項２記載の余剰コンクリート除去装置。
【請求項４】
レベル調整可能とされた脚を有することを特徴とする請求項１記載の余剰コンクリート除去装置。
【発明の詳細な説明】
【技術分野】
【０００１】
本発明は、余剰コンクリート除去装置に関する。さらに詳しくは、既製杭頭部に溜まるスライムなどを含む余剰コンクリートを効率的に除去する余剰コンクリート除去装置に関する。
【背景技術】
【０００２】
従来より、既製杭を用いた基礎工事においては、既製杭を地中に埋め込んだ後、杭頭部に杭頭部を補強する補強筋を配設し、ついで杭頭部にコンクリートを打設することがなされている。
【０００３】
しかるに、既製杭を埋設する工法として一般的なセメントミルク工法を用いた場合、杭頭部にスライムなどを含んだコンクリートが溜まるという事態が生ずる。この杭頭部に滞留したコンクリート（以下、余剰コンクリートという）の除去は、余剰コンクリート硬化後に、ブレーカーなどのはつり工具を用いてなされている。
【０００４】
しかしながら、ブレーカーなどのはつり工具を用いた除去作業は、騒音が発生するため、防音対策が必要となるという問題を生ずる。
【０００５】
また、はつりの際に粉塵が多量に発生するため、粉塵対策も講じる必要があり、しかも不適切なはつり作業がなされた場合、杭頭部をいためるという問題もある。
【０００６】
さらに、はつり作業は、根本的に作業効率も悪いという特質をも有している。
【０００７】
なお、特許文献１には、図６に示すように、バケット１０１に開閉式の底蓋１０２を設け、その底蓋１０２に所要数の開口１０３を設け、さらにその開口１０３に上下に開閉する片開き蓋１０４を設けてなる、場所打ちコンクリート杭における余盛りコンクリートの除去装置１００が提案されている。
【０００８】
しかしながら、前記提案に係る除去装置１００は、場所打ちコンクリート杭に対するものであるため、既製杭における余剰コンクリート除去には不向きである。
【特許文献１】特開２００２−１４６７８２号公報
【発明の開示】
【発明が解決しようとする課題】
【０００９】
本発明はかかる従来技術の課題に鑑みなされたものであって、既製コンクリート杭頭部に滞留する余剰コンクリートを効率的に除去できる余剰コンクリート除去装置を提供することを目的としている。
【課題を解決するための手段】
【００１０】
本発明の余剰コンクリート除去装置は、既製杭の頭部に滞留する余剰コンクリートを除去する余剰コンクリート除去装置であって、既製杭頭部に挿入される挿入部と、該挿入部から送給される余剰コンクリートを貯留する貯留部とを備え、前記挿入部は有底円筒体とされ、底面に余剰コンクリートを吸い込む吸い込み窓と、該窓を開閉する蓋と、該蓋を開の位置と閉の位置とに調整する操作レバーを有する回動軸とを備えてなることを特徴とする。
【００１１】
本発明の余剰コンクリート除去装置においては、操作レバーの操作端が貯留部から突出させられてなるのが好ましい。その場合、貯留部が、操作レバーが貫通する横長の長孔を有し、前記操作レバーが、前記長孔を塞ぐ鍔を有してなるのがさらに好ましい。
【００１２】
また、本発明の余剰コンクリート除去装置においては、レベル調整可能とされた脚を有するのが好ましい。
【発明の効果】
【００１３】
本発明によれば、挿入部を既製杭頭部にセットして吸い込む窓を開けるという簡単な操作により、既製杭頭部に滞留している余剰コンクリートを硬化する前に容易に除去できるという優れた効果が得られる。
【発明を実施するための最良の形態】
【００１４】
以下、添付図面を参照しながら本発明を実施形態に基づいて説明するが、本発明はかかる実施形態のみに限定されるものではない。
【００１５】
本発明の一実施形態に係る余剰コンクリート除去装置（以下、単に装置という）Ａを図１に示す。
【００１６】
装置Ａは、図１に示すように、既製杭頭Ｈに一定深さで挿入される挿入部１０と、挿入部１０から送給される余剰コンクリートを貯留する貯留部２０とを備えてなるものとされる。
【００１７】
挿入部１０は、底板１２を有する有底中空円筒体１１とされ、上端に貯留部２０と接合されるリング状の鍔１３を有している。つまり、挿入部１０は、逆ハット形の形態とされている。
【００１８】
底板１２には、扇形とされた透孔つまり吸い込み窓１２ａが所要数（図示例では８個）放射状に形成されている。
【００１９】
また、底板１２の上には、図２に示すように、前記吸い込み窓１２ａを開閉する同吸い込み窓１２ａに対応させた透孔１４ａを有する蓋１４が回転可能に設けられている。この蓋１４の中心には、蓋１４を回動するための回動軸１５が垂設されている。この回動軸１５の長さは、上端が挿入部１０を構成している円筒体１１の上端より所定長さ突出するよう調整されている。
【００２０】
回動軸１５の上端には、図３に示すように、蓋１４を回動する操作レバー１６が水平に設けられている。この操作レバー１６の先端部は、操作レバー１６の操作を容易とするよう鍔１３の外周つまり後述する貯留部２０の下部円筒体２１より所定長さ突出させられている。また、操作レバー１６の下部円筒体２１を貫通する個所には、操作レバー１６が貫通する横長の長孔２１ａを塞ぐよう鍔１６ａが下部円筒体２１内面に沿わせて設けられている。
【００２１】
回動軸１５の円筒体１１の上端に対応する箇所には、図４に示すように、支持部材１７が装着されてその倒れが防止されている。
【００２２】
支持部材１７は、回動軸を回動可能に支持する軸受部１７ａと、軸受部１７ａから水平十字状に形成されている支持棒１７ｂとを備えてなるものとされる。支持棒１７ｂの先端は、中空円筒体１１の内面に固着されている。
【００２３】
鍔１３外径は、既製杭頭Ｈの外径とほぼ同一とされその裏面には、図５に示すように、装置Ａを既製杭頭Ｈ上端に載置するための脚１８が設けられている。脚１８の数は、明瞭には図示はされていないが４とされている。ただし、脚１８の数は３以上とされていればよい。
【００２４】
脚１８は、具体的には、脚本体１８ａを構成する六角ボルトなどと、この六角ボルトなどが螺合される雌ねじ体１８ｂとからなるものとされ、雌ねじ体１８ｂの上端が鍔１３裏面に接合されている。
【００２５】
脚１８がかかる構成とされているところから、中空円筒体１１の既製杭頭Ｈへの進入深さを調整できるとともに、既製杭頭Ｈ上端がフラットでなくても装置Ａを水平にセットすることが可能となる。
【００２６】
貯留部２０は、図示例においては、小径の下部円筒体２１と、大径の上部円筒体２２と、下部円筒体２１と上部円筒体２２とを接続している逆円錐台状の中間体２３とからなるものとされ、下部円筒体２１の下端が鍔１３の外周に接合されている。ただし、貯留部２０の形態は図示例に限定されるものではなく適宜とでき、単に円筒体とされてもよい。
【００２７】
下部円筒体２１には、前述したように、操作レバー１６が貫通する横長の長孔２１ａが設けられている。
【００２８】
上部円筒体２２の上部外周には、把持部２４が対向配置にて形成されている。この把持部２４により把持は、作業員によりなされてもよく、フォークリフトのフォークを差し込むようになされてもよい。
【００２９】
次に、図を参照しながら、かかる構成とされた装置Ａによる余剰コンクリートの除去の一例について説明する。
【００３０】
手順１：埋め込みされた既製杭頭Ｈの上方から装置Ａをセットする。この場合、吸い込み窓１２ａは開けた状態としておく。
【００３１】
手順２：既製杭頭Ｈに滞留する余剰コンクリートが装置Ａに吸い込まれた後、吸い込み窓１２ａを閉める。
【００３２】
手順３：装置Ａを隣接する既製杭頭Ｈに移動させる。
【００３３】
手順４：手順１〜手順３を貯留部２０が例えば満杯になるまで繰り返す。
【００３４】
手順５：装置Ａを廃棄場所まで移動させて貯留部２０に貯留された余剰コンクリートを廃棄する。
【００３５】
このように、本実施形態の装置Ａによれば、既製杭頭Ｈに滞留している余剰コンクリートを硬化する前に効率的に除去できる。
【産業上の利用可能性】
【００３６】
本発明は、既製杭頭部に滞留している余剰コンクリートの除去に適用できる。
【図面の簡単な説明】
【００３７】
【図１】本発明の一実施形態に係る余剰コンクリート除去装置の概略図である。
【図２】同装置の蓋の平面図である。
【図３】同立面図である。
【図４】同装置の支持部材の平面図である
【図５】同装置の支持脚の概略図である。
【図６】特許文献１に係る余盛りコンクリート除去装置の概略図である。
【符号の説明】
【００３８】
１０      挿入部
１１      中空円筒体
１２      底板
１３      鍔
１４      蓋
１５      回動軸
１６      操作レバー
１７      支持部材
１８      脚
２０      貯留部
２１      下部円筒体
２２      上部円筒体
２３      中間体
Ａ      余剰コンクリート除去装置
Ｈ      既製杭頭
【図１】
2010043414.tif 000003
【図２】
2010043414.tif 000004
【図３】
2010043414.tif 000005
【図４】
2010043414.tif 000006
【図５】
2010043414.tif 000007
【図６】
2010043414.tif 000008